(57)【要約】【課題】  遊技球の流れが変化に富み、遊技の興趣を高めることができ、遊技者に狙い打ちをし難くくさせることのできる弾球遊技機の遊技部品を提供する。【解決手段】  本発明は、遊技盤５の前面側に形成された遊技領域７に配設された弾球遊技機の遊技部品１０であって、上部に球入口３８を有すると共に下部に球出口３９を有する球流下路３３を備えており、球流下路３３には遊技球が転動可能な転動面４１が螺旋状に形成されていることを特徴とする。【選択図】  図３
2006345977.tif 000002
【特許請求の範囲】
【請求項１】
遊技盤の前面側に形成された遊技領域に配設された弾球遊技機の遊技部品であって、
上部に球入口を有すると共に下部に球出口を有する球流下路を備えており、該球流下路には遊技球が転動可能な転動面が螺旋状に形成されていることを特徴とする弾球遊技機の遊技部品。
【請求項２】
前記球流下路の中心部には鉛直軸が設けられており、前記転動面は前記鉛直軸の周囲に形成されている請求項１に記載の弾球遊技機の遊技部品。
【請求項３】
前記球流下路は鉛直方向に複数に分割された球流下ユニットから構成されており、該各球流下ユニットの転動面は前記鉛直軸を中心とした中心角が１８０°〜３６０°となるように形成されている請求項２に記載の弾球遊技機の遊技部品。
【請求項４】
前記鉛直軸は円筒状を成しており、前記鉛直軸の内部に光を照射可能な発光手段がさらに設けられている請求項２又は３に記載の弾球遊技機の遊技部品。
【請求項５】
前記球流下路は画像表示装置の表示部の周囲に配設されたセンター飾りに設けられており、前記球入口は前記表示部の側方において前記遊技領域に打ち出された遊技球が入球可能なように開口され、前記球出口は前記表示部の下方において遊技球が転動可能なように形成されたステージ部に向かって開口されている請求項１〜４のいずれか１の請求項に記載の弾球遊技機の遊技部品。
【発明の詳細な説明】
【技術分野】
【０００１】
本発明は、パチンコ遊技機に代表される弾球遊技機の遊技部品に関し、特に、内部を遊技球が流下する球流下路を備えた弾球遊技機の遊技部品に関する。
【背景技術】
【０００２】
従来、パチンコ遊技機等の弾球遊技機においては、遊技盤の前面側に形成された遊技領域の略中央部に画像表示装置の表示部が配設されていると共に、この表示部の周囲にセンター飾りや始動入賞口などの遊技部品が配設されており、始動入賞口に遊技球が入賞することを契機として、画像表示装置の表示部において所要の図柄変動表示がなされ、その図柄の停止態様に応じて遊技者に有利な遊技状態が付与されるようになっている。このように、この種の弾球遊技機では、始動入賞口への遊技球の入賞を契機とした表示部における図柄変動態様又は図柄停止態様が遊技の主たる興趣となっているため、近年では、画像表示装置の大型化が進んでいる。
【０００３】
しかしながら、画像表示装置が大型化すると、遊技領域の大部分が画像表示装置の表示部及びその周囲に配置された遊技部品により占有され、始動入賞口への遊技球の入賞ルートが制限されてしまうため、遊技球の転動を楽しむというパチンコ遊技機本来の遊技性を喪失させるおそれがある。そこで、遊技球が流下可能な球流下路とその球流路を通過した遊技球が転動可能なステージ部とを備えた遊技部品を遊技領域に配設し、球流下路からステージ部を通って始動入賞口へ入賞する遊技球の新たな入賞ルートを備えたパチンコ遊技機が提案されている（例えば、特許文献１参照）。
【特許文献１】特開２００１−７０５３７号公報
【発明の開示】
【発明が解決しようとする課題】
【０００４】
ところが、上記した従来の弾球遊技機の遊技部品においては、球流下路内に入球した遊技球が鉛直方向に直線的に流下するようになっていたため、遊技球の流れが単調となり、遊技の興趣に欠けるといった問題があった。また、遊技者にとっては、遊技球が始動入賞口へ入賞するタイミングを図りやすくなり、狙い打ちがし易くなるといった問題もあった。
【０００５】
本発明は、上記した課題を解決すべくなされたものであり、遊技球の流れが変化に富み、遊技の興趣を高めることができ、遊技者に狙い打ちをし難くくさせることのできる弾球遊技機の遊技部品を提供しようとするものである。
【課題を解決するための手段】
【０００６】
本発明は、遊技盤５の前面側に形成された遊技領域７に配設された弾球遊技機の遊技部品１０であって、上部に球入口３８を有すると共に下部に球出口３９を有する球流下路３３を備えており、球流下路３３には遊技球が転動可能な転動面４１が螺旋状に形成されていることを特徴とする。
【０００７】
そして、好ましくは、球流下路３３の中心部には鉛直軸４０が設けられており、転動面４１は鉛直軸４０の周囲に形成されているのがよい。
【０００８】
また、球流下路３３は鉛直方向に複数に分割された球流下ユニット４３から構成されており、各球流下ユニット４３の転動面４１は鉛直軸４０を中心とした中心角が１８０°〜３６０°となるように形成されていてもよい。
【０００９】
さらに、鉛直軸４０は円筒状を成しており、鉛直軸４０の内部に光を照射可能な発光手段がさらに設けられていてもよい。
【００１０】
さらにまた、球流下路３３は画像表示装置８の表示部９の周囲に配設されたセンター飾り１０に設けられており、球入口３８は表示部９の側方において遊技領域７に打ち出された遊技球が入球可能なように開口され、球出口３９は表示部９の下方において遊技球が転動可能なように形成されたステージ部３４に向かって開口されていてもよい。
【発明の効果】
【００１１】
本発明によれば、遊技球が球流下路内を螺旋状に流下するようになっているため、遊技球の流れが変化に富み、遊技の興趣を高めることができ、また、遊技者に狙い打ちをし難くくさせることができる。
【００１２】
また、球流下路内において遊技球は転動面上を転動しながら流下するようになっているため、遊技球の流れは円滑に行われ、球流下路内における球詰まりの発生を防止することができ、製品の信頼性の向上を図ることができる。
【００１３】
さらに、球流下路が複数の球流下ユニットにより構成されている場合には、成形及び組立作業が簡素化され、寸法精度を高めることができる。
【００１４】
さらにまた、鉛直軸を円筒状に形成し、内部に光を照射するように構成した場合には、演出効果をさらに高めることができる等種々の優れた効果を得ることができる。
【発明を実施するための最良の形態】
【００１５】
以下、図面を参照しつつ、本発明の実施の形態について説明する。なお、以下の説明では、本発明をパチンコ遊技機に適用した場合について例示して説明する。
【００１６】
先ず、図１及び図２を参照しつつ、本実施の形態におけるパチンコ遊技機の構成について説明する。ここで、図１は本実施の形態におけるパチンコ遊技機を示す正面図、図２はその背面図である。
【００１７】
このパチンコ遊技機は、図１に示されているように、外郭方形枠サイズに形成されて縦向きの固定保持枠を成す外枠１の開口前面に、外枠１に合わせて方形枠サイズに形成された開閉搭載用の前枠２が、外枠１の正面左側上下に取り付けられたヒンジ金具３ａ，３ｂによって外枠２に対して開閉可能に取り付けられていると共に、外枠１の正面右側に設けられた施錠装置４により閉鎖状態に保持されるようになっている。
【００１８】
前枠２の上部領域には、遊技盤５が収容されており、遊技盤５は、所定板厚の積層合板の表面にセルを貼り付けてルーター加工した化粧版を基板とし、その前面側には、環状に取り付けられたガイドレール６に囲まれて、略円形状の遊技領域７が形成されている。遊技領域７には、その略中央部に画像表示装置８の表示部９が配置されており、画像表示装置８の表示部９の周りには、センター飾り１０、及び始動入賞口１１や大入賞口１２等の入賞装置等がそれぞれ配設されている。また、遊技領域７の下端部には、アウト口１３が配設されており、始動入賞口１１や大入賞口１２等の入賞装置に入賞せずに落下したアウト球を遊技盤５の背面側から機外に排出できるようになっている。
【００１９】
前枠２の前面上部側には、遊技盤５を視認可能なように透明なガラス板１４を備えたガラス扉１５が横向き開閉可能且つ着脱可能に取り付けられ、このガラス扉１５は、常には施錠装置４により遊技盤５の前面を覆うように閉鎖状態に保持されている。また、前枠２の前面下部側であって、ガラス扉１５の下方には、球皿１６が横向き開閉可能且つ着脱可能に取り付けられ、球皿１６は、常には施錠装置（図示せず）により閉鎖状態に保持されている。この球皿１６には、前面側に膨出して球貯留部１７が形成されており、遊技中に払い出される遊技球をこの球貯留部１７に貯留可能となっている。また、球貯留部１７の正面右側下部には、発射ハンドル１８が前方に突出して取り付けられており、発射ハンドル１８を回転操作することにより、球貯留部１７から供給された遊技球が遊技領域７に発射されるようになっている。
【００２０】
一方、図２に示されているように、前枠２の背面側には、裏セット盤１９が複数（図２では５個）のレバー２０により着脱可能に設けられており、その裏セット盤１９には、予備賞球を貯留する球貯留タンク２１、遊技球を整列状態で待機させる待機通路２２、遊技盤５での入賞状態等に基づき賞球を払い出す球払出装置２３、球払出装置２３から払い出された賞球を球皿１６に排出するための球払出通路２４等の賞球装置が装備されている。
【００２１】
さらに、裏セット盤１９には、パチンコ遊技機の動作を統括的に制御する主制御装置２５、画像表示装置８の裏側に位置して画像表示、効果音等の演出、効果ランプ等の表示制御を行うサブ制御装置２６、球払出装置２３を制御する払出制御装置２７、遊技球の発射強度や発射タイミングを制御する発射制御装置２８等の各制御装置、及びこれらの各制御装置２５，２６，２７，２８及び電子部品に電力を供給する電源装置２９等がそれぞれ配設されている。
【００２２】
次に、図３〜図６を参照しつつ、本実施の形態に係るパチンコ遊技機の遊技部品について説明する。なお、以下の説明では、パチンコ遊技機の遊技部品の一例としてセンター飾り１０について説明する。ここで、図３はセンター飾りを示す斜視図、図４はセンター飾りを示す正面図、図５は図４のＡ−Ａ矢視図、図６は図４のＢ−Ｂ矢視図である。
【００２３】
このセンター飾り１０は、ベース部材３０の周縁部に設けられた所要数の取付孔３１を介して遊技盤５にネジ止めされるようになっており、中央に形成された画像表示領域透視部３２と、画像表示領域透視部３２の正面左側に形成された球流下路３３と、画像表示領域透視部３２の下方に形成されたステージ部３４と、ステージ部３４に設けられたクルーン３５と、画像表示領域透視部３２の上方においてワイパー状に揺動可能に設けられた可動体３６とを主体に構成されている。
【００２４】
球流下路３３は、本体部３７と、本体部３７の上部において遊技領域７に打ち出された遊技球が正面左側斜め上方から入球可能なように開口された球入口３８と、本体部３７の下部においてステージ部３４に向かって開口された球出口３９とから構成されている。本体部３７は、鉛直方向に複数段（図６では３段）に渡って分割された球流下ユニット４３と、球流体ユニット４３を囲繞するように形成された外周壁部４２とから構成されている。各球流下ユニット４３は、中心部に設けられた鉛直軸４０と、鉛直軸４０の周囲に螺旋状に形成された転動面４１とから構成されており、鉛直軸４０を介して積重可能となっている。そして、各球流下ユニット４３の転動面４１は、成形時に金型が抜脱し易いように、鉛直軸４０を中心とした中心角が１８０°〜３６０°の範囲に収まるように形成されており、この中心角は２７０°程度が最も好ましい。
【００２５】
ステージ部３４には、後方から前方に向かって次第に低くなるように第１〜第３球転動路４４，４５，４６が階段状に形成されている。第１球転動路４４は、両端部及び中央部がそれぞれ高くなるように波形に形成され、正面左側端部に前記球出口３９が位置するようになっている。そして、第１球転動路４４の中央部及びその両側の最下部には球落下案内部４７，４８が前方に下傾して形成され、前記中央部及び最下部以外の部分の前端部分には球落下防止壁４９が立設されている。また、第２球転動路４５及び第３球転動路４６はいずれも、両端部が高く、中央部が低くなるように緩やかなＶ字状に形成されており、前記各中央部にはそれぞれ球落下案内部５０，５１が前方に下傾して形成され、それ以外の部分の前端部分にはそれぞれ球落下防止壁５２，５３が形成されている。
【００２６】
クルーン３５はステージ部３４のほぼ中央に配置されており、クルーン３５には、第１球転動路４４の中央部の球落下案内部４７から入球可能なように球流入部５４が形成されていると共に第２球転動路４５の中央部の球落下案内部５０に出球可能なように球排出部５５が形成されており、さらに、球流入部５４と球排出部５５との間には球流路５８が曲成されている。
【００２７】
次に、図１〜図６を参照しつつ、本実施の形態におけるパチンコ遊技機の動作について説明する。
【００２８】
遊技者により打ち出された遊技球は、遊技領域７を落下する過程において球入口３８に入球すると、球流下路３３の本体部３７内において鉛直軸４０を中心として転動面４１上を螺旋状に転動しながら流下し、球出口３９からステージ部３４の第１球転動路４４に転がり出る。この場合、遊技球は、転動面４１上を転動しながら球流下路３３の本体部３７内を流下するようになっているため、遊技球の流れは円滑に行われ、本体部３７内において球詰まりが発生するおそれはない。
【００２９】
その後、ステージ部３４に転がり出た前記遊技球は、第１球転動路４４を転動し、中央の球落下案内部４７から球流入部５４を通ってクルーン３５に入球するか、或いは、左右の球落下案内部４８から第２球転動路４５上に落下する。
【００３０】
そして、クルーン３５に入球した遊技球は、球流路５６を通り、球排出部５５から第２球転動路４５の球落下案内部５０に落下後、さらに第３球転動路４６の球落下案内部５１に落下し、遊技領域７に排出される。一方、左右の球落下案内部４８から第２球転動路４５上に落下した遊技球は、第２球転動路４５をその傾斜に従って転動し、球落下案内部５０から第３球転動路４６の球落下案内部５１に落下後、遊技領域７に排出される。
【００３１】
上記したような各経路を通って第３球転動路４６の球落下案内部５１から遊技領域７に排出された遊技球が始動入賞口１１に入賞すると、主制御装置２５は、抽選用の乱数を取得して大当りの抽選を行い、取得した乱数が大当り用の乱数であると判定すると、その乱数の示す図柄を決定し、サブ制御装置２６に制御コマンドを送信する。そして、サブ制御装置２６は、この制御コマンドに基づき、所要の図柄変動表示を行ない、その決定した図柄を画像表示装置８の表示部９に停止表示させると共に、主制御装置２５は、可動体３６をワイパー状に揺動させ、遊技を通常遊技から特別遊技（大当り遊技）に移行させる。
【００３２】
このように遊技が特別遊技（大当り遊技）に突入すると、大入賞口１２が開放され、大入賞口１２に遊技球が入賞することにより所定数の賞球が遊技者に払い出され、その後、所定の条件が成立した場合に、特別遊技は終了する。
【００３３】
なお、上記した実施の形態において、球流下路３３には転動面４１を囲繞するように外周壁部４２が設けられているが、この外周壁部４２は省略することもできる。
【００３４】
また、球流下路３３の鉛直軸４０を円筒状に形成させ、この鉛直部４０の内部に下方又は上方から光を照射可能な発光手段を設けることもできる。そして、この場合には、遊技状態に応じて前記発光手段を発光させることにより演出効果をさらに高めることができる。
【００３５】
さらに、上記実施の形態では、球流下路３３がセンター飾り１０に設けられた場合について説明したが、球流下路３３は、センター飾り１０以外の遊技部品に設けられていてもよい。
【００３６】
さらにまた、本発明は、アレンジボール遊技機等、上記したパチンコ遊技機以外の弾球遊技機にも適用可能であることは言う迄もない。
【図面の簡単な説明】
【００３７】
【図１】本発明の実施の形態におけるパチンコ遊技機を示す正面図である。
【図２】本発明の実施の形態におけるパチンコ遊技機を示す背面図である。
【図３】本発明の実施の形態に係るパチンコ遊技機のセンター飾りを示す斜視図である。
【図４】本発明の実施の形態に係るパチンコ遊技機のセンター飾りを示す正面図である。
【図５】図４のＡ−Ａ矢視図である。
【図６】図４のＢ−Ｂ矢視図である。
【符号の説明】
【００３８】
５          遊技盤
７          遊技領域
８          画像表示装置
９          表示部
１０        センター飾り
３３        球流下路
３４        ステージ部
３８        球入口
３９        球出口
４０        鉛直軸
４１        転動面
４３        球流下ユニット
【図１】
2006345977.tif 000003
【図２】
2006345977.tif 000004
【図３】
2006345977.tif 000005
【図４】
2006345977.tif 000006
【図５】
2006345977.tif 000007
【図６】
2006345977.tif 000008